(57)【要約】      （修正有）【課題】コストを低減させ、カスタマイズ程度を高める多数枚結合式放熱器を提供する。【解決手段】多数枚結合式放熱器は、それぞれ一体形成されたアルミニウム押出材放熱片である、第一、第二、第三のユニットを備えている。第一のユニットの放熱片は、厚さが放熱片より大きい二つの組合ブロックの間に繋がっており、各組合ブロックはそれぞれ端部に伝熱面が設けられており、その組合ブロックの一面には凸出部が設けられており、他の一面には前記凸出部と対応して設置された受部が設けられる。第二及び第三のユニットはそれぞれ相対端に二つの組合ブロックが設けられ、第二のユニットの組合ブロックの一面には第一のユニットの凸出部と対応して設置された受部が設けられ、第三のユニットの組合ブロックの一面には第一のユニットの受部と対応して設置された凸出部が設けられる。【選択図】図１
0003171392.tif 000002
【実用新案登録請求の範囲】
【請求項１】
多数枚結合式放熱器であって、
少なくとも一つの第一のユニットと、一つの第二のユニットと、一つの第三のユニットとを備えており、
前記第一のユニットは、一体成形となったアルミニウム押出材放熱片であり、前記放熱片は、厚さが前記放熱片より大きい二つの組合ブロックの間に繋がっており、各組合ブロックはそれぞれ端部に伝熱面が設けられており、前記組合ブロックの一面には凸出部が設けられており、同該面の放熱片には少なくとも一つの凸接部が設けられており、他の一面には前記凸出部と対応して設置された受部が設けられており、同該面の放熱片には少なくとも一つの凹受部が設けられており、
前記第二のユニットは一体成形となり、相対端に二つの組合ブロックが設けられたアルミニウム押出材放熱片であり、その組合ブロックの一面には前記第一のユニットの凸出部と対応して設置された受部が設けられており、同該面の放熱片には前記第一のユニットの凸接部と対応して設置された少なくとも一つの凹受部が設けられており、
前記第三のユニットは一体成形となり、相対端に二つの組合ブロックが設けられたアルミニウム押出材放熱片であり、その組合ブロックの一面には前記第一のユニットの受部と対応して設置された凸出部が設けられており、同該面の放熱片には前記第一のユニットの凹受部と対応して設置された少なくとも一つの凸接部が設けられたことを特徴とする多数枚結合式放熱器。
【請求項２】
多数枚結合式放熱器であって、
少なくとも一つの第一のユニットと、一つの第二のユニットと、一つの第三のユニットとを備えており、
前記第一のユニットは一体成形となったアルミニウム押出材放熱片であり、前記放熱片は、厚さが前記放熱片より大きい二つの組合ブロックの間に繋がっており、各組合ブロックはそれぞれ端部に伝熱面が設けられており、その組合ブロックの一面には凸出部が設けられており、他の一面には凸出部と対応して設置された受部が設けられており、
前記第二のユニッは、一体成形となり、相対端に二つの組合ブロックが設けられたアルミニウム押出材放熱片であり、その組合ブロックの一面には前記第一のユニットの凸出部と対応して設置された受部が設けられており、
前記第三のユニッは、一体成形となり、相対端に二つの組合ブロックが設けられたアルミニウム押出材放熱片であり、その組合ブロックの一面には前記第一のユニットの受部と対応して設置された凸出部が設けられたことを特徴とする多数枚結合式放熱器。
【請求項３】
多数枚結合式放熱器であって、
少なくとも一つの第一のユニットと、一つの第二のユニットと、一つの第三のユニットとを備えており、
前記第一のユニットは一体成形となったアルミニウム押出材放熱片であり、前記放熱片は、厚さが前記放熱片より大きい組合ブロックに繋がっており、前記組合ブロックの端部には伝熱面が設けられており、その組合ブロックの一面には凸出部が設けられており、他の一面には凸出部と対応して設置された受部が設けられており、
前記第二のユニッは、一体成形となり、厚さが前記放熱片より大きい組合ブロックが設けられており、その組合ブロックの一面には前記第一のユニットの凸出部と対応して設置された受部が設けられており、
前記第三のユニッは、一体成形となり、厚さが前記放熱片より大きい組合ブロックが設けられており、その組合ブロックの一面には前記第一のユニットの受部と対応して設置された凸出部が設けられたことを特徴とする多数枚結合式放熱器。
【請求項４】
前記凸出部はバンプ(bump)であり、前記凹受部は前記凸接部と対応して設置された凹槽であることを特徴とする請求項１に記載の多数枚結合式放熱器。
【請求項５】
前記凸出部はバンプ(bump)であり、前記受部は前記凸出部と対応して設置された凹槽であることを特徴とする請求項１，２又は３に記載の多数枚結合式放熱器。
【考案の詳細な説明】
【技術分野】
【０００１】
本考案は、多数枚結合式放熱装置に関する。特に、単枚の放熱片を複数組み合わせることにより、カスタマイズ(特注生産)接触面積を達成するアルミニウム押出材放熱器に関する。
【背景技術】
【０００２】
従来の放熱器は、対象となる品物の熱を熱伝導方式で放熱器自体に散布させるものであり、現在、放熱器は多くの工業的用途のための製品になっており、欠くことのできない部品と言えるので、大きいのは周波数変換装置、変圧器まで、小さいのは電力消費部品までは、いずれも放熱器の存在がよく見られる。
しかしながら、今日、工業の発展は速やかであり、要求される放熱器の種類は繁多であり、異なる放熱面積と熱電力消費の設計は、すべて異なる接触面積の放熱器で対応されるので、製品の製造者は大きさ、長さ及び高さの異なる放熱器を異なる金型で製作しなければならないので、コストが高くなる。このことから、従来の放熱器から引き出した問題及び不足の観点から、優れた設計でなく改良の必要がある。
【考案の概要】
【考案が解決しようとする課題】
【０００３】
本考案は、コストを低減させ、カスタマイズ程度を高める放熱装置を提供することを主な目的とする。本考案は、製造手順を減少させ歩留まりを向上させることを次目的とする。本考案のもう一つの目的は、放熱効果を向上させ放熱対象の熱衰弱確率を低減することにある。本考案のさらにもう一つの目的は、ユニット間の安定性を高めて全体の放熱効率を向上させることにある。
【課題を解決するための手段】
【０００４】
上記考案の目的を達成することができる構成は、少なくとも一つの第一のユニットと、一つの第二のユニットと、一つの第三のユニットとを有することにある。
【０００５】
前記第一のユニットは一体成形となったアルミニウム押出材放熱片であり、前記放熱片は、厚さが前記放熱片より大きい二つの組合ブロックの間に繋がっており、各組合ブロックはそれぞれ端部に伝熱面が設けられており、その組合ブロックの一面には凸出部が設けられており、他の一面には前記凸出部と対応して設置された受部が設けられており、前記第二のユニットは一体成形となり相対端に二つの組合ブロックが設けられたアルミニウム押出材放熱片であり、その組合ブロックの一面には前記第一のユニットの凸出部と対応して設置された受部が設けられており、前記第三のユニットは一体成形となり相対端に二つの組合ブロックが設けられたアルミニウム押出材放熱片であり、その組合ブロックの一面には前記第一のユニットの受部と対応して設置された凸出部が設けられた。
【０００６】
もう一つの構成は、第一のユニットは一体成形となったアルミニウム押出材放熱片であり、前記放熱片は、厚さが前記放熱片より大きい二つの組合ブロックの間に繋がっており、各組合ブロックはそれぞれ端部に伝熱面が設けられており、その組合ブロックの一面には凸出部が設けられており、同該面の放熱片には少なくとも一つの凸接部が設けられており、他の一面には凸出部と対応して設置された受部が設けられており、同該面の放熱片には少なくとも一つの凹受部が設けられており、第二のユニット及び第三のユニットはいずれも一体成形となり、それぞれ相対端に二つの組合ブロックが設けられたアルミニウム押出材放熱片であり、前記第二のユニットの各組合ブロックの一面には前記第一のユニットの凸出部と対応して設置された受部が設けられており、同該面の放熱片には前記第一のユニットの凸接部と対応して設置された少なくとも一つの凹受部が設けられており、前記第三のユニットの各組合ブロックの一面には前記第一のユニットの受部と対応して設置された凸出部が設けられており、同該面の放熱片には前記第一のユニットの凹受部と対応して設置された少なくとも一つの凸接部が設けられた。
【０００７】
もう一つの構成は、第一のユニットは一体成形となったアルミニウム押出材放熱片であり、前記放熱片は、厚さが前記放熱片より大きい組合ブロックに繋がっており、前記組合ブロックは端部に伝熱面が設けられており、その組合ブロックの一面には凸出部が設けられており、他の一面には凸出部と対応して設置された受部が設けられており、第二のユニット及び第三のユニットはいずれも一体成形となり、厚さが前記放熱片より大きい組合ブロックが設けられており、前記第二のユニットの組合ブロックの一面には前記第一のユニットの凸出部と対応して設置された受部が設けられており、前記第三のユニットの組合ブロックの一面には前記第一のユニットの受部と対応して設置された凸出部が設けられた。
【図面の簡単な説明】
【０００８】
【図１】本考案の外観斜視を示す概要図である。
【図２】本考案の分解斜視を示す概要図である。
【図３】本考案の分解断面図である。
【図４】本考案の断面図である。
【図５】本考案の一つの実施例を示す概要図である。
【図６】本考案の一つの実施例を示す断面図である。
【図７】本考案の一つの実施例を示す概要図である。
【図８】本考案の一つの実施例を示す断面図である。
【図９】本考案の一つの実施例を示す概要図である。
【図１０】本考案の一つの実施例を示す断面図である。
【考案を実施するための形態】
【０００９】
図１ないし図４を参照しながら本考案を詳しく説明する。本考案の多数枚結合式放熱器１００は、その外観斜視により少なくとも一つの第一のユニット１０、一つの第二のユニット２０及び一つの第三のユニット３０を有しており、当該ユニットはいずれも一体成形となったアルミニウム押出材放熱片で構成されている。第一のユニット１０は、厚さが放熱片より大きい二つの組合ブロック１１の間に繋がっており、且つ、アルミニウム押出材で構成されており、各組合ブロック１１ではそれぞれ端部に伝熱面１２が設けられており、第一のユニット１０の互いに並行に寄せる一面には凸出部１３が一つ設けられており、他の一面には二つの対称で斜めにした面取り溝１４１を有する受部１４が設けられており、第二のユニット２０は、一体成形となり相対端に二つの組合ブロック２１が設けられたアルミニウム押出材放熱片であり、互いに並行に寄せる面には二つの対称で斜めにした面取り溝２４１を有する受部２４が設けられており、第三のユニット３０は、一体成形となり相対端に二つの組合ブロック３１が設けられたアルミニウム押出材放熱片であり、互いに並行に寄せる面には凸出部３３が一つ設けられている。
【００１０】
さらに、図４を参照しながら本考案を詳しく説明する。第三のユニット３０の凸出部３３と第一のユニット１０の受部１４の配置、第二のユニット２０の受部２４と第一のユニット１０の凸出部１３の配置、第一のユニット１０を第二のユニット２０と第三のユニット３０の間に締め付けさせたことにより、第一のユニット１０の伝熱面１２、第二のユニット２０の伝熱面２２及び第三のユニット３０の伝熱面３２で繋がってなった熱伝導用の接触面を組合わせており、これにより、放熱対象の表面に接触して熱を本考案の構成に伝導することができる。
【００１１】
さらに、図３と図４を参照しながら本考案を詳しく説明する。第三のユニット３０に設けられた凸出部３３が蛇舌状両端脚３３１を有しており、蛇舌状両端脚３３１が第一のユニット１０に設けられた受部１４内に斜めに設置された面取り溝１４１と配合しているが、面取り溝１４１には対称で内に向いている傾斜角を有しており、当該傾斜角は凸出部３３の蛇舌状両端脚３３１の水平に突出した角度と異なるので、嵌め合った後の端脚３３１が外部に拡大して変形後端脚３３１aに変形し、面取り溝１４１の形状となり、そして、このように変形したことにより両ユニットを有効に嵌め合うことができる。同様に、第一のユニット１０に設けられた凸出部１３も蛇舌状両端脚１３１を有しており、蛇舌状両端脚１３１が第二のユニット２０に設けられた受部２４内に斜めに設置された面取り溝２４１と配合しているので、嵌め合った後の端脚１３１が外部に拡大して変形後端脚３３１aに変形することができる。
【００１２】
図５ないし図８は本考案の実施例を示すものである。さらに図５と図６は、上下にはいずれも組合ブロックを有するユニットが、複数の第一のユニット１０を畳み合ったことで放熱器の接触面積を伸ばし、ユニットの数量の多少により本考案のカスタマイズの大きさを調整することを示すものである。さらに図７と図８は参照しながら本考案を詳しく説明する。図７と図８は本考案の他の実施例を示すものであり、当該ユニットはいずれも一つの組合ブロック１０を有することで、各第一のユニット１０を組み合わせ、且つ前後に第二のユニット２０と第三のユニット３０が設けられており、該第二のユニット２０と第三のユニット３０も単辺で組合ブロックを有するアルミニウム押出材を一体成形にしたことを示すものである。
【００１３】
図９ないし図１０は本考案の他の実施例を示すものである。放熱片において少なくとも一つの凸接部１５３と凹受部１５４が設けられており、両者の接続は側面図(図１０)により格子状に散布した熱ノード１５の熱伝導構成が現れられている。該熱ノード１５の凸接部１５３はバンプ(bump)であり、凹受部１５４は凹槽であり、上下端の組合ブロック(１１，２１，３１)を嵌め合うことにより互いに接合して配置することができるので、各放熱ユニットが並行に設置することができ、最大の放熱面積を果たす。
上記の方式により、第一のユニット１０の数量を増減することにより放熱器の長さを調整することができ、アルミニウム押出材の製作工程を設定することにより放熱器の広さを調整することができる。同様の金型を使用しても異なる広さ又は長さの放熱器を製作することができるので、明らかに要求を速やかに達成し、大部のコストを削減し、製品の活用性を向上させることができる。
【符号の説明】
【００１４】
１００  多数枚結合式放熱器
１０  第一のユニット
１１  組合ブロック
１２  伝熱面
１３  凸出部
１３１  端脚
１３１a  変形後の端脚
１４１  面取り溝
１４  受部
１５  ノード
１５３  凸接部
１５４  凹受部
２０  第二のユニット
２１  組合ブロック
２２  伝熱面
２４  受部
２４１  面取り溝
３０  第三のユニット
３１  組合ブロック
３２  伝熱面
３３  凸出部
３３１  端脚
３３１a  変形後の端脚
【図１】
0003171392.tif 000003
【図２】
0003171392.tif 000004
【図３】
0003171392.tif 000005
【図４】
0003171392.tif 000006
【図５】
0003171392.tif 000007
【図６】
0003171392.tif 000008
【図７】
0003171392.tif 000009
【図８】
0003171392.tif 000010
【図９】
0003171392.tif 000011
【図１０】
0003171392.tif 000012